(57)【要約】【課題】  本発明は、Ｐレンジ状態に関連したエネルギロスを防止できる加減速度制御装置の提供を目的とする。【解決手段】  本発明は、操作ストローク内に加速領域及び減速領域の双方を有するペダルと、制動力発生装置及び駆動力発生装置からなり、該ペダルの操作位置に基づき決定される加速要求若しくは減速要求に応じて動作する被制御装置と、を備える加減速度制御装置において、変速機のレンジがパーキング用のＰレンジである場合、前記被制御装置に対する前記ペダル操作位置に基づく加速要求若しくは減速要求のいずれか一方が遮断されることを特徴とする。【選択図】  図５
2006175942.tif 000002
【特許請求の範囲】
【請求項１】
操作ストローク内に加速領域及び減速領域の双方を有するペダルと、制動力発生装置及び駆動力発生装置からなり、該ペダルの操作位置に基づき決定される加速要求若しくは減速要求に応じて動作する被制御装置と、を備える加減速度制御装置において、
変速機のレンジがパーキング用のＰレンジである場合、前記被制御装置に対する前記ペダル操作位置に基づく加速要求若しくは減速要求のいずれか一方が遮断されることを特徴とする、加減速度制御装置。
【請求項２】
前記ペダルは、ストローク内の浅い操作領域に減速領域及び深い操作領域に加速領域を有するアクセルペダルであり、
変速機のレンジがパーキング用のＰレンジである場合、前記アクセルペダルが、前記減速領域が無くなり加速領域のみを有するペダルに特性変更される、請求項１に記載の加減速度制御装置。
【請求項３】
前記ペダルは、ストローク内の浅い操作領域に加速領域及び深い操作領域に減速領域を有するブレーキペダルであり、
変速機のレンジがパーキング用のＰレンジである場合、前記アクセルペダルが、前記加速領域が無くなり減速領域のみを有するペダルに特性変更される、請求項１に記載の加減速度制御装置。
【請求項４】
前記ペダルは、ストローク内の浅い操作領域に減速領域及び深い操作領域に加速領域を有するアクセルペダルであり、
変速機のレンジがパーキング用のＰレンジである場合、前記アクセルペダルが、前記減速領域が無くなり加速領域のみを有するペダルに特性変更され、
変速機のレンジがＰレンジから前方走行用のＤレンジに変更された場合、前記アクセルペダルに対する初回の操作に対しては前記特性変更後の特性が適用される、請求項１に記載の加減速度制御装置。
【発明の詳細な説明】
【技術分野】
【０００１】
本発明は、変速機のレンジ位置に関連してペダル特性を変える加減速度制御装置に関する。
【背景技術】
【０００２】
従来から、アクセルペダルの操作により加速制御を行い、且つ、ブレーキペダルの操作により減速制御を行う通常モードと、アクセルペダルの深い操作範囲で加速制御を、浅い操作範囲で減速制御を行い、且つ、ブレーキペダルの深い操作範囲で減速制御を、浅い操作範囲で加速制御を行う操作低減モード（１ペダルモード）とを備える自動車の走行制御装置が知られている（例えば、特許文献１参照）。この走行制御装置では、乗員によるスイッチ操作に応じて１ペダルモード及び通常モード間が切り換えられる。
【特許文献１】特開２００３−１４６１１７号公報
【発明の開示】
【発明が解決しようとする課題】
【０００３】
ところで、上述の従来技術のように１つのペダル（例えばアクセルペダル）の操作量に応じて加減速度を制御するシステムでは、１ペダルのストローク内に加速領域及び減速領域の双方を形成する必要があり、加減速度がゼロとなる中立位置は、加速領域と減速領域との間のペダル操作位置に設定される。このため、かかるシステムでは、パーキング用のＰレンジである場合に、制動力発生装置及び駆動力発生装置に対する不要な減速要求若しくは加速要求が発生し、それによるエネルギロスが生ずる。
【０００４】
例えば、上述の従来技術のようにアクセルペダルに加速・減速領域の双方を形成する場合、Ｐレンジ状態で行うエンジン点検作業時、アクセルペダル操作量に対するエンジン回転数等を確認するためには、アクセルペダルの減速領域を介して加速領域まで操作しなければならないが、その際の減速領域の部分でエネルギロスが生ずる。また、上述の従来技術のようにブレーキペダルに加速・減速領域の双方を形成する場合、例えば停車の際、ブレーキペダルを踏み込んだ状態でＰレンジに入れてからブレーキペダルを離す過程内に加速領域が介在するため、その加速領域の部分でエネルギロスが生ずる。
【０００５】
そこで、本発明は、Ｐレンジ状態に関連したエネルギロスを防止できる加減速度制御装置の提供を目的とする。
【課題を解決するための手段】
【０００６】
上記課題を解決するため、本発明の一局面によれば、操作ストローク内に加速領域及び減速領域の双方を有するペダルと、制動力発生装置及び駆動力発生装置からなり、該ペダルの操作位置に基づき決定される加速要求若しくは減速要求に応じて動作する被制御装置と、を備える加減速度制御装置において、
変速機のレンジがパーキング用のＰレンジである場合、前記被制御装置に対する前記ペダル操作位置に基づく加速要求若しくは減速要求のいずれか一方が遮断されることを特徴とする、加減速度制御装置が提供される。
【０００７】
本局面において、前記ペダルは、ストローク内の浅い操作領域に減速領域及び深い操作領域に加速領域を有するアクセルペダルであり、変速機のレンジがパーキング用のＰレンジである場合、前記アクセルペダルが、前記減速領域が無くなり加速領域のみを有するペダルに特性変更されるものであってよい。また、前記ペダルは、ストローク内の浅い操作領域に加速領域及び深い操作領域に減速領域を有するブレーキペダルであり、変速機のレンジがパーキング用のＰレンジである場合、前記アクセルペダルが、前記加速領域が無くなり減速領域のみを有するペダルに特性変更されるものであってよい。また、前記ペダルは、ストローク内の浅い操作領域に減速領域及び深い操作領域に加速領域を有するアクセルペダルであり、変速機のレンジがパーキング用のＰレンジである場合、前記アクセルペダルが、前記減速領域が無くなり加速領域のみを有するペダルに特性変更され、変速機のレンジがＰレンジから前方走行用のＤレンジに変更された場合、前記アクセルペダルに対する初回の操作に対しては前記特性変更後の特性が適用されてよい。
【発明の効果】
【０００８】
本発明によれば、Ｐレンジ状態に関連したエネルギロスを防止できる加減速度制御装置を得ることができる。
【発明を実施するための最良の形態】
【０００９】
以下、図面を参照して、本発明を実施するための最良の形態の説明を行う。
【００１０】
図１は、本発明による加減速度制御装置の一実施例を示すシステム構成図である。
【００１１】
本実施例の加減速度制御装置１０は、アクセルペダルの操作により加速制御及び減速制御の双方を行う１ペダルモードを実現する。
【００１２】
加減速度制御装置１０は、アクセルペダルの開度に応じて目標加減速度を決定する目標加減速度演算装置２０を中心に構成される。
【００１３】
目標加減速度演算装置２０には、CAN（controller area network）などの適切なバスを介して、車両内の各種の電子部品（車速センサのような各種センサやナビゲーションECUのような各種ECU）が接続される。これらの各種の電子部品には、アクセルペダルの操作量を検出するアクセル開度センサ１２と、ブレーキペダルの操作を検出するブレーキ操作検出手段１４と、トランスミッションのギア位置を検出するギア位置検出手段１５と、駆動力発生装置（例えばエンジン）及び制動力発生装置（例えばブレーキ）を統括的に制御するそれぞれ駆動トルクマネージャ４０及びブレーキマネージャ５０とが含まれる。尚、電気自動車やハイブリッド車の場合には、駆動力発生装置は車輪駆動用の電動モータを含む。
【００１４】
アクセル開度センサ１２は、アクセルペダルの近傍に配設される。アクセル開度センサ７２は、アクセルペダルの踏み込みストローク量（以下、「アクセル開度」という）に応じた電気信号を目標加減速度演算装置２０に向けて出力する。
【００１５】
ブレーキ操作検出手段１４は、ブレーキペダルの操作量（操作位置、マスタシリンダ圧）に応じた電気信号を出力するセンサであってよい。ギア位置検出手段１５は、トランスミッションのギア位置（シフトレンジ）を検出する手段であり、例えば、パーキング用のＰレンジ、バック走行用のＲレンジ、中立状態のＮレンジ、前方走行用のＤレンジ等に応じた電気信号を出力するシフトポジションセンサである。
【００１６】
本実施例のブレーキペダルは、減速領域しかない通常的なブレーキペダルと実質的に同一であり、例えばアクセルペダルの減速領域において可能な最大減速度よりも大きい減速度を発生するために操作されるものであってよい。
【００１７】
本実施例の目標加減速度演算装置２０は、以下で詳説する如く、アクセル開度センサ１２からのアクセル開度に基づいて、車両に発生させるべき目標加減速度を決定する。
【００１８】
図２は、目標加減速度演算装置２０の一例を示す機能ブロック図である。目標加減速度演算装置２０は、図示しないバスを介して互いに接続されたＣＰＵ、ＲＯＭ、及びＲＡＭ等からなるマイクロコンピュータとして構成されている。ＲＯＭには、目標加減速度演算装置２０が実行するプログラムやその際に必要な各種データ（例えば、後述する各種マップ）が記憶されている。
【００１９】
目標加減速度演算装置２０には、アクセル開度センサ１２からアクセル開度信号が供給される。目標加減速度演算装置２０は、図２に示すように、AC-Gマップ処理部２２において、アクセル開度と目標加減速度との関係を定義したマップ（以下、「AC-Gマップ」という）（図５参照）に従って、アクセル開度［％］に応じた目標加減速度［ｍ／ｓ２］を決定する。
【００２０】
目標加減速度［ｍ／ｓ２］は、続く出力軸トルク変換部２３において、出力軸トルク［N・m］に変換される。この出力軸トルクは、走行抵抗トルク演算部２４にて演算された走行抵抗トルクと足し合わせられ、最終的な目標出力軸トルクとして制駆動分配部２６に入力される。
【００２１】
尚、走行抵抗トルク演算部２４において、走行抵抗トルクは、車速に基づいて適切に算出されてよい。この際、走行抵抗トルクは、路面μ（タイヤと道路の間の摩擦力）及び／又は道路勾配（道路の路面勾配）などの各種因子によって補正されてもよい。この場合には、路面μに影響を与えうる雨や雪などの天気情報が併せて考慮されてもよい。また、道路勾配についても、如何なる適切な手法により検出されてもよく、例えば、ナビゲーション装置の地図データに含まれうる道路勾配情報を利用して検出されてもよく、若しくは、外部の情報提供センタから提供される道路勾配情報を利用して検出されてよい。
【００２２】
制駆動分配部２６では、目標出力軸トルクを駆動出力軸トルクと制動出力軸トルクとに分配し、当該目標出力軸トルクを実現する目標駆動出力軸トルクと目標制動出力軸トルクを決定する。このようにして得られた目標駆動出力軸トルクは、駆動トルクマネージャ４０に入力される。
【００２３】
目標制動出力軸トルクは、車輪軸トルク変換部２８にて車輪軸トルクに変換され、制動トルク調停部３６を経てブレーキマネージャ５０に入力される。制動トルク調停部３６では、上述の車輪軸トルク（アクセルペダルの減速領域における車輪軸トルク）と、ブレーキペダルの操作による要求制動トルクとの調停が行われ、最終的な目標制動トルクが決定される。このようにして得られた目標制動トルクは、ブレーキマネージャ５０に入力される。尚、要求制動トルクは、マップ処理部３２から得られる要求制動減速度を制動トルク変換部３４にて制動トルクに変換することで得られる。要求制動減速度は、マップ処理部３２において、ブレーキペダル操作量と要求制動減速度との関係を定義したマップに従って決定される。
【００２４】
図３は、駆動トルクマネージャ４０の一例を示す機能ブロック図である。駆動トルクマネージャ４０は、図示しないバスを介して互いに接続されたＣＰＵ、ＲＯＭ、及びＲＡＭ等からなるマイクロコンピュータとして構成されている。
【００２５】
駆動トルクマネージャ４０では、図３に示すように、変速比判断部４２において目標駆動トルクに応じた変速比が決定され、必要に応じて変速実行手段４４によりトランスミッションの変速比が変更される。また、同時に、目標エンジントルク演算部４６において目標エンジントルクが決定され、当該目標エンジントルクに基づいて、電子スロットル制御、点火進角遅角制御、燃料カット制御などの各種エンジン制御が実行される。
【００２６】
図４は、ブレーキマネージャ５０の一例を示す機能ブロック図である。ブレーキマネージャ５０は、図示しないバスを介して互いに接続されたＣＰＵ、ＲＯＭ、及びＲＡＭ等からなるマイクロコンピュータとして構成されている。
【００２７】
ブレーキマネージャ５０では、図４に示すように、目標各輪制動圧演算部５２において目標制動トルクに応じた目標制動圧が演算され、制動圧制御ブロック５４を介してブレーキ制動圧制御が実行される。
【００２８】
図５（Ａ）は、１ペダルモードにおけるAC-Gマップの一例を示す。図５（Ａ）に示す１ペダルモード用のAC-Gマップには、０≦アクセル開度＜AC１の範囲（アクセルペダルの浅い操作領域）において減速領域（目標加減速度＜０）が設けられ、AC２≦アクセル開度の範囲（アクセルペダルの深い操作領域）において加速領域（目標加減速度＞０）が設けられている。また、AC１≦アクセル開度＜AC２の範囲において、目標加減速度が０となる不感帯領域が設けられる。即ち、図５（Ａ）に示すように、減速領域と加速領域との間には境界領域として不感帯領域が設けられる。
【００２９】
減速領域及び加速領域では、図５（Ａ）に示すように、アクセル開度に対する目標加減速度の変化勾配がゼロより十分大きい所定の値（但し、一定勾配である必要はなく、可変値でもよい）に設定される。一方、不感帯領域では、目標加減速度の変化勾配が略ゼロに設定される。
【００３０】
尚、不感帯領域を設定することは任意である。不感帯領域を設定した場合、不感帯領域では、アクセル開度の変化と共に目標加減速度が緩やか変化するか若しくは全く変化しないので、アクセル開度の変化に対する目標加減速度の変化量が小さくなり、アクセルペダルの僅かな操作に過敏に応答して加減速が実現されることが防止される。
【００３１】
このように１ペダルモードでは、アクセルペダルに対する操作により車両の加速のみならず減速もが実現されるので、制動操作時にアクセルペダルからブレーキペダルへの踏み換えが必要な一般的な構成に比して、空走距離を低減して車両の制動能力を高めることができる。
【００３２】
また、１ペダルモードでは、１つのペダル（本例では、アクセルペダル）で車両の加速のみならず減速もが実現されるので、例えば山道の走行中や渋滞中など、加速操作と減速操作とを頻繁に繰り返すような走行環境に対して好適である。
【００３３】
また、１ペダルモードでは、図５（Ａ）に示すように、不感帯領域において目標加減速度の変化勾配がゼロに設定された場合にはある程度アクセルペダルが操作されても、AC１≦アクセル開度＜AC２の範囲内であれば、車両の加減速度が実質的に変化しないので、定常走行（比較的長時間に亘る一定速度走行）が可能な走行環境に対しても好適である。
【００３４】
次に、図６等を参照して、本実施例の加減速度制御装置１０の特徴的な構成を説明する。図６は、本実施例の加減速度制御装置１０により実現される主要処理を示すフローチャートである。本処理は、例えば、イグニッションスイッチがオンにされてから所定周期毎に実行されるものであってよい。
【００３５】
先ず、ステップ１００として、目標加減速度演算装置２０は、ギア位置検出手段１５の検出結果に基づいて、現時点のトランスミッションのギア位置を判断する。続くステップ１１０において目標加減速度演算装置２０は、シフトレバーがＰレンジにない場合、上述の１ペダルモードを実現する（ステップ１２０）。この場合、上述の如く、目標加減速度演算装置２０は、AC-Gマップ処理部２２における１ペダルモード用のAC-Gマップに従って、アクセル開度に応じた目標加減速度を決定する。このようにして決定された目標加減速度は、上述の如く駆動力発生装置及び／又は制動力発生装置の動作により具現化されることになる。一方、シフトレバーがＰレンジにある場合、ステップ１３０に進む。
【００３６】
ステップ１３０では、目標加減速度演算装置２０は、図５（Ａ）示す１ペダルモード用のAC-Gマップから、Ｐレンジ用のAC-Gマップへのマップ切り替えを行う。
【００３７】
図５（Ｂ）は、Ｐレンジ用のAC-Gマップの一例を示す。Ｐレンジ用AC-Gマップには、減速領域が実質的になく、アクセル開度の全ての範囲（即ち、アクセルペダルの全ストローク）に亘って加速領域（目標加減速度≧０）が設定される。アクセル開度がゼロでは目標加減速度が実質的にゼロであり、アクセル開度の上昇に従って目標加速度が上昇していく。
【００３８】
本ステップ１３０において、アクセルペダルが操作されていない状態では、アクセル開度がゼロであるので、目標加減速度が実質的にゼロであり、上述の駆動力発生装置及び制動力発生装置が非作動状態となる。
【００３９】
一方、例えばエンジン点検作業のためアクセルペダルが操作されると、目標加減速度演算装置２０は、図２に示すように、AC-Gマップ処理部２２において、Ｐレンジ用AC-Gマップに従って、アクセル開度［％］に応じた目標加速度［ｍ／ｓ２］を決定する。同様に、この目標加速度［ｍ／ｓ２］は、続く出力軸トルク変換部２３において、出力軸トルク［N・m］に変換される。この出力軸トルクは、走行抵抗トルク演算部２４にて演算された走行抵抗トルクと足し合わせられ、最終的な目標出力軸トルクとして制駆動分配部２６に入力される。このようにして得られた目標出力軸トルクは、制駆動分配部２６による分配を介さずに、そのまま目標駆動出力軸トルクとして駆動トルクマネージャ４０に入力される。この場合、駆動トルクマネージャ４０は、シフト位置がＰレンジであるので、エンジンの出力軸とトランスミッションとを切り離しつつ、上述と同様、各種エンジン制御を実行する。
【００４０】
このように本実施例では、Ｐレンジ状態においてエンジン点検作業のためのアクセルペダル操作（レーシング）を行った場合、減速領域のないＰレンジ用AC-Gマップが用いられるので、減速領域のある１ペダルモード用AC-Gマップを用いた場合とは対照的に、エンジンを回転させる加速領域までアクセルペダルを踏み込む過程に減速領域が存在しないので、不要な減速要求（及びそれに伴う制動力発生装置による不要な制動力の発生）が防止される。従って、本実施例によれば、Ｐレンジ状態においてエンジン点検作業のためのサービス性を確保しつつ、その際の不要なエネルギ消費を防止できる。
【００４１】
シフトレンジがＰレンジにある間、目標加減速度演算装置２０は、ステップ１４０として、ギア位置検出手段１５の検出結果に基づいて、ＰレンジからＤレンジへの移行を検出する。ＰレンジからＤレンジへの移行が検出された場合、目標加減速度演算装置２０は、ステップ１５０として、Ｐレンジ用AC-Gマップを継続的に維持する（即ち、１ペダルモード用AC-Gマップに戻さない）。これにより、Ｐレンジ経由後の初回のアクセルペダル操作時には、即ち、Ｐレンジ経由後の初回の発進時には、Ｐレンジ用AC-Gマップにより減速制御を介する加速領域が実現されるので、車両発進時の加速性が向上する。
【００４２】
次に、上述の実施例に代わって実施可能であり、或いは、上述の実施例と併存して実施可能な第２実施例について説明する。第２実施例の加減速度制御装置１０は、ブレーキペダルの操作により加速制御及び減速制御の双方を行う１ペダルモードを実現する。
【００４３】
本実施例の目標加減速度演算装置２０は、以下で詳説する如く、ブレーキ操作検出手段１４からのブレーキ操作量（ブレーキストローク）に基づいて、車両に発生させるべき目標加減速度を決定する。
【００４４】
図７は、第２実施例の目標加減速度演算装置２０の一例を示す機能ブロック図である。尚、図２と同一の構成については同一の参照符号を付して説明を省略する。尚、図７では、明瞭化のため、ブレーキペダル操作系の構成とアクセルペダル操作系の構成とが互いに分離して示されているが、共通の機能を実現する回路部分は当然に共通化されてよい。
【００４５】
目標加減速度演算装置２０には、ブレーキ操作検出手段１４からブレーキ操作量を表す信号が供給される。目標加減速度演算装置２０は、図７に示すようなBS-Gマップ処理部２２’において、ブレーキ操作量と目標加減速度との関係を定義したマップ（以下、「BS-Gマップ」という）（図８参照）に従って、ブレーキ操作量に応じた目標加減速度［ｍ／ｓ２］を決定する。同様に、目標加減速度［ｍ／ｓ２］は、続く出力軸トルク変換部２３において、出力軸トルク［N・m］に変換される。この出力軸トルクは、走行抵抗トルク演算部２４にて演算された走行抵抗トルクと足し合わせられ、最終的な目標出力軸トルクとして制駆動分配部２６に入力される。このようにして得られた目標出力軸トルクは、制駆動分配部２６により目標出力軸トルクを駆動出力軸トルクと制動出力軸トルクとに分配され、当該目標出力軸トルクを実現する目標駆動出力軸トルクと目標制動出力軸トルクが決定される。このようにして得られた目標駆動出力軸トルクは、駆動トルクマネージャ４０に入力される。駆動トルクマネージャ４０の構成は、図３と同じであり、この入力を受けた際の駆動トルクマネージャ４０の処理については上述と同様であるので説明を省略する。
【００４６】
目標制動出力軸トルクは、車輪軸トルク変換部２８にて車輪軸トルクに変換され、ブレーキマネージャ５０に入力される。尚、第２実施例では、ブレーキペダルの操作量（ゼロを含む）に応じた制御と、アクセルペダルの操作量（ゼロを含む）に応じた制御とは干渉し合わないものとする。即ち、ブレーキペダルによる１ペダルモードとアクセルペダルによる１ペダルモードとは、例えば切り替えスイッチのような適切な切り替え手段により切り替えられ、各ペダルによる１ペダルモードが独立的に実現されるものとする（例えば、一方が１ペダルモードである場合、他方が通常モードとされる）。従って、第２実施例では、調停が不要であるため、制動トルク調停部３６が省略されている（即ち、ブレーキペダル操作系とアクセルペダル操作系とが独立している）。ブレーキマネージャ５０の構成は、図４と同じであり、車輪軸トルク変換部２８からの入力を受けた際のブレーキマネージャ５０の処理については上述と同様であるので説明を省略する。
【００４７】
図８（Ａ）は、１ペダルモードにおけるBS-Gマップの一例を示す。図８（Ａ）に示す１ペダルモード用のBS-Gマップには、０≦ブレーキ操作量＜BS１の範囲（ブレーキペダルの浅い操作領域）において加速領域（目標加減速度＞０）が設けられ、BS２≦ブレーキ操作量の範囲（ブレーキペダルの深い操作領域）において減速領域（目標加減速度＜０）が設けられている。また、BS１≦ブレーキ操作量＜BS２の範囲において、目標加減速度が０となる不感帯領域が設けられる。即ち、図８（Ａ）に示すように、減速領域と加速領域との間には境界領域として不感帯領域が設けられる。尚、不感帯領域を設定することは任意である。不感帯領域を設定した場合、不感帯領域では、ブレーキ操作量の変化と共に目標加減速度が緩やか変化するか若しくは全く変化しないので、ブレーキ操作量の変化に対する目標加減速度の変化量が小さくなり、ブレーキペダルの僅かな操作に過敏に応答して加減速が実現されることが防止される。
【００４８】
このように１ペダルモードでは、１つのペダル（本例では、ブレーキペダル）で車両の加速のみならず減速もが実現されるので、例えば駐車中や渋滞中など、低速による加速操作と減速操作とを頻繁に繰り返すような走行環境に対して好適である。
【００４９】
次に、図９等を参照して、本実施例の加減速度制御装置１０の特徴的な構成を説明する。図９は、本実施例の加減速度制御装置１０により実現される主要処理を示すフローチャートである。本処理は、例えば、イグニッションスイッチがオンにされてから所定周期毎に実行されるものであってよい。
【００５０】
先ず、ステップ２００として、ブレーキペダルによる１ペダルモード中であるか否かが判断される。ブレーキペダルによる１ペダルモード中で無い場合、本処理は終了する。ブレーキペダルによる１ペダルモード中の場合、ステップ２１０に進む。
【００５１】
ステップ２１０では、目標加減速度演算装置２０は、ギア位置検出手段１５の検出結果に基づいて、現時点のトランスミッションのギア位置を判断する。目標加減速度演算装置２０は、シフトレバーがＰレンジにない場合、上述の１ペダルモードを実現する（ステップ２２０）。この場合、上述の如く、目標加減速度演算装置２０は、BS-Gマップ処理部２２’における１ペダルモード用のBS-Gマップに従って、ブレーキ操作量に応じた目標加減速度を決定する。このようにして決定された目標加減速度は、上述の如く駆動力発生装置及び／又は制動力発生装置の動作により具現化されることになる。一方、シフトレバーがＰレンジにある場合、ステップ２３０に進む。
【００５２】
ステップ２３０では、目標加減速度演算装置２０は、図８（Ａ）示す１ペダルモード用のBS-Gマップから、Ｐレンジ用のBS-Gマップへのマップ切り替えを行う。
【００５３】
図８（Ｂ）は、Ｐレンジ用のBS-Gマップの一例を示す。Ｐレンジ用BS-Gマップには、加速領域が実質的になく、ブレーキ操作量の全ての範囲（即ち、ブレーキペダルの全ストローク）に亘って減速領域（目標加減速度≦０）が設定される。ブレーキ操作量がゼロでは目標加減速度が実質的にゼロであり、ブレーキ操作量の上昇に従って目標減速度が上昇していく。
【００５４】
本ステップ２３０において、ブレーキペダルが操作されていない状態では、ブレーキ操作量がゼロであるので、目標加減速度が実質的にゼロであり、上述の駆動力発生装置及び制動力発生装置が非作動状態となる。
【００５５】
一方、本ステップ２３０において、ブレーキペダルが操作されると、目標加減速度演算装置２０は、図７に示すように、BS-Gマップ処理部２２’において、Ｐレンジ用BS-Gマップに従って、ブレーキ操作量に応じた目標減速度［ｍ／ｓ２］を決定する。同様に、この目標減速度［ｍ／ｓ２］は、続く出力軸トルク変換部２３において、出力軸トルク［N・m］に変換される。この出力軸トルクは、走行抵抗トルク演算部２４にて演算された走行抵抗トルクと足し合わせられ、最終的な目標出力軸トルクとして制駆動分配部２６に入力される。このようにして得られた目標出力軸トルクは、制駆動分配部２６による分配を介さずに、車輪軸トルク変換部２８にて車輪軸トルクに変換され、最終的な目標制動トルクとしてブレーキマネージャ５０に入力される。この場合、ブレーキマネージャ５０は、上述と同様、目標制動トルクに応じてブレーキ制動圧制御が実行される。
【００５６】
このように本実施例では、Ｐレンジ状態においてブレーキペダル操作を行った場合、加速領域のないＰレンジ用BS-Gマップが用いられるので、加速領域のある１ペダルモード用BS-Gマップを用いた場合とは対照的に、停車の際のように、ブレーキペダルを踏み込んだ状態でＰレンジに入れてからブレーキペダルを離す過程において、不要な加速要求（及びそれに伴う駆動力発生装置による不要な動力の発生）が防止される。また、発車の際のように、ＰレンジからＤレンジに入れる際のブレーキペダルの踏み込み過程において、不要な加速要求（及びそれに伴う駆動力発生装置による不要な動力の発生）が防止される。
【００５７】
従って、本実施例によれば、Ｐレンジに入れた後のブレーキペダルの解除過程におけるエネルギロス等を防止することができ、また、Ｐレンジ状態での停車中にユーザが誤ってブレーキペダルを操作した場合にも、駆動力発生装置による不要な動力の発生が防止され、不要なエネルギロスを防止することができる。
【００５８】
尚、本実施例において、上記ステップ２３０において、ブレーキペダルの操作に伴い車両に所定以上の制動力が付与された段階でシフトレバーのＰレンジからＤレンジへの切り替えが許可されることしてもよい。この場合、ユーザは、ブレーキペダルを深くまで操作しなくても、シフトレバーをＰレンジからＤレンジへの切り替えることができる。
【００５９】
以上、本発明の好ましい実施例について詳説したが、本発明は、上述した実施例に制限されることはなく、本発明の範囲を逸脱することなく、上述した実施例に種々の変形及び置換を加えることができる。
【００６０】
例えば、上述の実施例では、減速領域のないＰレンジ用AC-Gマップや、加速領域のないＰレンジ用BS-Gマップを用いることで、Ｐレンジ状態における不要な制動要求や加速要求に応答して駆動力発生装置及び／又は制動力発生装置が作動しないようにしているが、減速領域のある１ペダルモード用AC-Gマップや、加速領域のあるＰレンジ用BS-Gマップを用いても、Ｐレンジ状態における不要な制動要求や加速要求に応答して駆動力発生装置及び／又は制動力発生装置が作動しないようにしている限り、本発明の範囲内である。即ち、例えば１ペダルモード用AC-Gマップを用いる場合、Ｐレンジ状態でアクセルペダルを踏み込むと、先ず減速領域から始まるため、目標加減速度として減速度が決定されるが、この減速命令を遮断すればよい。この場合、実質的には、減速領域における目標加減速度がゼロに変更されることと等価になる。
【００６１】
また、Ｐレンジ用AC-Gマップや１ペダルモード用AC-Gマップ（Ｐレンジ用BS-Gマップ等も同様）は、上述の図に示したものに限定されることはなく、例えば１ペダルモード用AC-Gマップに関して、不感帯領域は、図５（Ａ）に示すような一定の幅（AC１〜AC２）を有する領域であってよいが、幅のない領域、即ち点であってもよい。また、この場合、不感帯領域前後の目標加減速度の変化勾配は、減速領域及び加速領域よりも緩やかな勾配を有するものであってもよい。
【００６２】
また、特性の異なるＰレンジ用AC-Gマップや１ペダルモード用AC-Gマップ（Ｐレンジ用BS-Gマップ等も同様）が複数用意され、同一モード中に複数のマップが適切に切り換えられてもよい。また、このような切り換え時のショックを吸収する（目標加減速度のステップ的な段差を抑制する）ために目標加減速度にフィルタを適用してもよい（即ち、なましを入れてもよい）。
【００６３】
また、上述した実施例では、車両の加減速度を車両の前後方向の運動を表わす物理量として採用しているが、車両の加減速度と一対一で対応する他の物理量若しくはそれに関連する他の物理量が代替的に用いられてもよく、又は、車両の加減速度が他の物理量との組み合せで用いられてよい。
【図面の簡単な説明】
【００６４】
【図１】本発明による加減速度制御装置の一実施例を示すシステム構成図である。
【図２】目標加減速度演算装置２０の一例を示す機能ブロック図である。
【図３】駆動トルクマネージャ４０の一例を示す機能ブロック図である。
【図４】ブレーキマネージャ５０の一例を示す機能ブロック図である。
【図５】図５（Ａ）は、１ペダルモード用AC-Gマップの一例を示し、図５（Ｂ）は、Ｐレンジ用AC-Gマップの一例を示す。
【図６】第１実施例に係る加減速度制御装置１０により実現される主要処理を示すフローチャートである。
【図７】第２実施例の目標加減速度演算装置２０の一例を示す機能ブロック図である。
【図８】図８（Ａ）は、１ペダルモード用BS-Gマップの一例を示し、図８（Ｂ）は、Ｐレンジ用BS-Gマップの一例を示す。
【図９】第２実施例に係る加減速度制御装置１０により実現される主要処理を示すフローチャートである。
【符号の説明】
【００６５】
１０    加減速度制御装置
１２    アクセル開度センサ
１４    ブレーキ操作検出手段
１５    ギア位置検出手段
２０    目標加減速度演算装置
４０    駆動トルクマネージャ
５０    ブレーキマネージャ
【図１】
2006175942.tif 000003
【図２】
2006175942.tif 000004
【図３】
2006175942.tif 000005
【図４】
2006175942.tif 000006
【図５】
2006175942.tif 000007
【図６】
2006175942.tif 000008
【図７】
2006175942.tif 000009
【図８】
2006175942.tif 000010
【図９】
2006175942.tif 000011